(57)【特許請求の範囲】
【請求項１】
原子炉圧力容器の上端部の少なくとも２個所に複数本のスタッドボルトを直立させて固定し、該スタッドボルトに通して原子炉圧力容器に被着させるようにした上蓋の上側に、上記スタッドボルトを上下方向に挿通させるための孔をスタッドボルトの本数に合わせて有する支持板と、上端側にピン挿入用の孔を有して下端面を上記支持板の上面に固定した２枚の耳板とからなる吊り耳金物を、該吊り耳金物の上記支持板の孔に上記スタッドボルトを通して該スタッドボルトの上端部にナットを螺合させることにより取り付け、且つ該吊り耳金物に連結して原子炉圧力容器を吊り上げるようにする吊り治具を、強度を有する金属製板で軽重量に作り、該吊り治具を上記吊り耳金物に連結して原子炉圧力容器を上蓋と一緒に吊り上げて原子炉遮蔽壁と一体に搬出させるようにしたことを特徴とする原子炉圧力容器の搬出装置。
【請求項２】
吊り治具を、前後方向に重なるように配置した２枚の金属製板を一体化させて上部中央部にクレーンのフックを掛けるフック掛止部を固定して吊り天秤を形成し、該吊り天秤の両端部に、下端部を吊り耳金物に連結する吊りアームの上端部を、ピンにて回動自在に取り付けてなる構成とした請求項１記載の原子炉圧力容器の搬出装置。
【発明の詳細な説明】
【０００１】
【発明の属する技術分野】
本発明は原子炉圧力容器（ＲＰＶ）を取り替えるときに原子炉格納容器（ＰＣＶ）内から搬出するための方法と装置に関するもので、詳しくは、原子炉圧力容器を上蓋や原子炉遮蔽壁とともに搬出させるようにする装置に関するものである。
【０００２】
【従来の技術】
原子炉圧力容器の取替工事を行うに際して、原子炉圧力容器を原子炉格納容器内から搬出する場合、従来では、原子炉圧力容器とその上端部にある上蓋とを別々に搬出するようにしていた。
【０００３】
すなわち、原子炉圧力容器１は、図４及び図５に概略を示す如く、シュラウド２、ジェットポンプ３の如き内部付帯機器や、制御棒駆動機構ハウジング（ＣＲＤハウジング）４の如き外部付帯機器を有していると共に、上端部には上蓋５が被着させてあり、重量が９５０トン位であって、原子炉格納容器６に設置されている原子炉遮蔽壁７の内側に据え付けられるようにしてある。８ａ，８ｂ，８ｃは原子炉遮蔽壁７の所要高さ位置に設けてある孔であり、８ｄは原子炉遮蔽壁７の頂部に設けてある切欠部、９は上部格子板、１０は炉心支持板、１１は再循環入口ノズル、１２は再循環出口ノズル、１３は給水ノズル、１４は炉心スプレイノズル、１５は蒸気出口ノズル、１６は上蓋５の吊りピース、１７は上部遮蔽体、１８は炉心遮蔽体、１９は下部遮蔽体であり、原子炉圧力容器１が原子炉遮蔽壁７の内側に据え付けられているとき、上記各ノズルが各々対応する孔８ａ，８ｂ，８ｃや切欠部８ｄに位置させられる。
【０００４】
従来、上記原子炉圧力容器１の取替工事において原子炉圧力容器１を原子炉格納容器６内から搬出させる場合は、上蓋５を原子炉圧力容器１より取り外して、該上蓋５と原子炉圧力容器１とを別々に吊り上げて搬出するようにしている。この場合、上蓋５は、吊りピース１７に吊り治具を連結させてクレーン等で吊り上げて単独に搬出させた後、各ノズル１１、１２、１３、１４、１５等に接続されている配管を撤去した状態にしてから、図５に示す如く、原子炉圧力容器１の上部と炉心部と下部を、上部遮蔽体１７、炉心遮蔽体１８、下部遮蔽体１９で遮蔽した状態にし、次いで、吊り治具２０を原子炉圧力容器１及び上部遮蔽体１７の上端に連結し、原子炉遮蔽壁７は残したまま、クレーン等で吊り治具２０を介して原子炉圧力容器１のみを遮蔽体１７，１８，１９で遮蔽したまま吊り上げて搬出させるようにし、一方、新たな原子炉圧力容器を搬入するときは、上記の逆の手順によりクレーン等で吊り下ろし原子炉遮蔽壁７の内側に据え付けるようにする方法がある（特開平９−１４５８８２号）。
【０００５】
【発明が解決しようとする課題】
ところが、上記従来の方法では、上蓋５と原子炉圧力容器１とをばらばらにして別々に吊り上げて搬出させるようにするものであるため、吊り治具としては、上蓋５や原子炉圧力容器１を単体で吊り上げるだけの強度を有していればよく、又、吊り治具自体の重量は、原子炉圧力容器１単体の重量から見て或る程度の重量物であっても総重量が大きくならないので、重い構造のものが使用でき、一方、上蓋５や原子炉圧力容器１に取り付けられる吊りピースも、上蓋５や原子炉圧力容器１の重量に耐え得る程度のものでよい反面、上記のように上蓋５と原子炉圧力容器１を別々に吊り上げて搬出するものであって、これらを一緒に吊り上げて搬出するものではなく、しかも、原子炉遮蔽壁７は取り外しせずに残したまま原子炉圧力容器１を搬出することから、原子炉圧力容器の取替工事に多くの時間を要し、更に、被曝低減を図るため、上部遮蔽体１７、炉心遮蔽体１８、下部遮蔽体１９を別途用意して取り付けているため、原子炉圧力容器取替工事により多くの時間と労力を要していた。
【０００６】
そこで、本発明者等は、原子炉圧力容器取替工事の工期短縮と大幅な被爆低減が図れるようにするために、原子炉圧力容器取替えの際の搬出時に、上蓋５を原子炉圧力容器１と一緒に吊り上げ、原子炉遮蔽壁７ともども搬出することについて工夫、研究を重ねた結果、従来の方法で採用されている吊り治具、吊りピースでは、上蓋５、原子炉圧力容器１、原子炉遮蔽壁７を一体で吊り上げることができないことが判明し、特殊な吊り治具、吊り耳金物とすることにより原子炉圧力容器と原子炉遮蔽壁を一体として吊り上げることが可能であることを見い出し本発明をなした。
【０００７】
したがって、本発明の目的とするところは、原子炉圧力容器の取替工事の大幅な工期短縮と被曝低減を図ることができる原子炉圧力容器の搬出装置を提供することである。
【０００８】
【課題を解決するための手段】
本発明は、上記課題を解決するために、原子炉圧力容器の上端部の少なくとも２個所に複数本のスタッドボルトを直立させて固定し、該スタッドボルトに通して原子炉圧力容器に被着させるようにした上蓋の上側に、上記スタッドボルトを上下方向に挿通させるための孔をスタッドボルトの本数に合わせて有する支持板と、上端側にピン挿入用の孔を有して下端面を上記支持板の上面に固定した２枚の耳板とからなる吊り耳金物を、該吊り耳金物の上記支持板の孔に上記スタッドボルトを通して該スタッドボルトの上端部にナットを螺合させることにより取り付け、且つ該吊り耳金物に連結して原子炉圧力容器を吊り上げるようにする吊り治具を、強度を有する金属製板で軽重量に作り、該吊り治具を上記吊り耳金物に連結して原子炉圧力容器を上蓋と一緒に吊り上げて原子炉遮蔽壁と一体に搬出させるようにしたことを特徴とする原子炉圧力容器の搬出装置とする。又、吊り治具を、前後方向に重なるように配置した２枚の金属製板を一体化させて上部中央部にクレーンのフックを掛けるフック掛止部を固定して吊り天秤を形成し、該吊り天秤の両端部に、下端部を吊り耳金物に連結する吊りアームの上端部を、ピンにて回動自在に取り付けてなる構成とするようにする。
【０００９】
原子炉圧力容器を上蓋と一緒に吊り上げて原子炉遮蔽壁と一体に搬出させるようにするので、原子炉圧力容器取替工事の工期を大幅に短縮できると共に原子炉遮蔽壁により被爆低減を図ることができる。
【００１０】
吊り治具は、２枚の金属製板を組み合わせて軽重量となるように作られているので、原子炉圧力容器と原子炉遮蔽壁を一体で吊るときの重量に加算する吊り治具の重量が軽くて総重量の増大を抑えることができ、これにより原子炉圧力容器と原子炉遮蔽壁を一体的に吊って搬出することが可能となる。
【００１１】
【発明の実施の形態】
以下、本発明の実施の形態を図面を参照して説明する。
【００１２】
図１（イ）（ロ）（ハ）（ニ）、図２（イ）（ロ）及び図３は本発明の実施の一形態を示すもので、原子炉圧力容器１の取替工事に際して該原子炉圧力容器１を搬出する場合に、原子炉圧力容器１を、上蓋５を取り外すことなく且つ原子炉遮蔽壁７と一体に吊り上げて搬出させ、工期の短縮と被爆低減を図ることができるようにする。
【００１３】
詳述すると、図４に示してある原子炉圧力容器１と同様に、シュラウド２、ジェットポンプ３等の如き内部付帯機器、制御棒駆動機構ハウジング５の如き外部付帯機器を有している原子炉圧力容器１を、上蓋５と一緒に且つ原子炉遮蔽壁７ともども吊り上げることができるようにするため、該原子炉圧力容器１の上端面の相対する２個所（左右両側部位置）に、複数本（図面では１個所４本）のスタッドボルト２１を直立状態に並べて立てて固定し、該片側４本のスタッドボルト２１の上端部を利用して原子炉圧力容器１と原子炉遮蔽壁７の重量（１２００トン強）に耐え得られる強度を有するように吊り耳金物２２を取り付けるようにし、更に、強度を有し且つ軽量化された吊り治具２７を形成して総重量の増加を抑え原子炉圧力容器１と原子炉遮蔽壁７の一体搬出ができるようにする。
【００１４】
上記吊り耳金物２２は、上記スタッドボルト２１を上下方向に挿通させるための孔をスタッドボルト２１の数に合わせて有する所要の長さ及び幅を有する支持板２３の上面に、上端側にピン挿入用の孔２５を有する２枚の耳板２４を所要間隔で配置して、該各耳板２４の下端面を支持板２３上面に溶接により固定してなる構成とし、支持板２３の各孔に各スタッドボルト２１を通して該スタッドボルト２１の上端部にナット２６を螺合させることにより、スタッドボルト２１から外れないように取り付けられるようにする。
【００１５】
又、上記吊り耳金物２２に連結して原子炉圧力容器１を原子炉遮蔽壁７と一体に吊って搬出させる吊り治具２７は、上記原子炉圧力容器１と原子炉遮蔽壁７の重量に耐え得る強度を有し且つ軽量とした構成とする。すなわち、原子炉圧力容器１上端の左右の複数個のスタッドボルト２１の対峙間隔よりもやや長くし且つ中央部分がやや高くなるような形状として所要間隔を隔てて前後方向に重なるように配置した２枚の金属製板２８間に、補強材３０を介在させて一体化させると共に、周辺部に両端部下面の一部を除いて金属製塞ぎ板２９を溶接して補強させ、更にリブ３１で補強した枠体を作り、該枠体の上部中央部に、２本のピン３２を平行に取り付けてクレーンのフック３３を該ピン３２に掛けることができるようにしてあるフック掛止部３４を固定して、強度のある吊り天秤３５を形成し、該吊り天秤３５の両端部下面の開放部分を通して下方より挿入した吊りアーム３６の上端部を、各々吊り天秤３５にピン３７にて回動自在に取り付け、且つ該各吊りアーム３６の下端部を前記吊り耳金物２２に連結するようにした構成とする。
【００１６】
更に、上記原子炉遮蔽壁７は、図３に展開して示すように、下方位置には、再循環入口ノズル１１と対応する複数の孔８ａと再循環出口ノズル１２に対応する複数の孔８ｂが周方向にほぼ同じレベルに設けてあると共に、上方位置には、炉心スプレイノズル１４に対応する複数の孔８ｃや給水ノズル１３に対応する切欠部８ｄが周方向にほぼ同じレベルに設けてあり、原子炉圧力容器１と一体として搬出させることができるように、上記多数の孔８ａと８ｂがあるレベル位置を切断位置ＣＬとして、該切断位置ＣＬを周方向に切断して原子炉遮蔽壁７を上下に切り離し搬出できるようにする。
【００１７】
なお、上蓋５には、周辺部にスタッドボルト２１を貫通させるための孔が穿設してあり、スタッドボルト２１に通して原子炉圧力容器１に被着させるようにしてある。
【００１８】
３８は吊り治具２７の吊りアーム３６と吊り耳金物２２とを連結するピン、３９は原子炉圧力容器１の上端部から原子炉遮蔽壁７、制御棒駆動機構ハウジング５の外側に配して全体を包むようにしたシート、４０は原子炉圧力容器１と原子炉遮蔽壁７との連結部材である。
【００１９】
今、原子炉圧力容器１の取替工事に際して該原子炉圧力容器１を吊り上げて搬出させる場合は、上蓋５は取り外すことなく原子炉圧力容器１に取り付けたままとし、且つ、原子炉遮蔽壁７を図３に示す切断位置ＣＬで切断して上下に分離させ、原子炉格納容器より取り外す。次に、吊り治具２７のフック掛止部３４にクレーンのフック３３を掛けて、吊り治具２７を原子炉格納容器内へ搬入し、該吊り治具２７を構成する吊り天秤３５両端部の吊りアーム３６の下端を、原子炉圧力容器１上端の吊り耳金物２２にピン３８にて連結させる。しかる後、吊り治具２７を介してクレーンにて原子炉圧力容器１を、上蓋５、原子炉遮蔽壁７と一緒に吊り上げるようにする。この際、吊り耳金物２２は、原子炉圧力容器１と原子炉遮蔽壁７を一体で吊るときの大重量（１２００トン強）に耐えられるよう原子炉圧力容器１に植立された片側で４本、合計８本のスタッドボルト２１に取り付けてあり、しかも、吊り治具２２は、充分な強度を有するように作られた吊り天秤３５が２枚の金属製板２８、金属製塞ぎ板２９、補強材３０等から構成されていて出来るだけ軽量となるようにしてあるため、吊り治具２７の重量は従来の吊り治具２０に比して軽くなっており、総重量の低下を図ることができる。
【００２０】
上蓋５と原子炉圧力容器１を一緒に吊り上げ且つ原子炉遮蔽壁７も一体として吊り上げると、原子炉圧力容器１の周りは原子炉遮蔽壁７で遮蔽された状態になっているので、被曝低減が図れ、そのまま原子炉格納容器外へ搬出させるようにすることにより、上蓋５と原子炉圧力容器１が同時に搬出されて原子炉圧力容器取替工事の工期を大幅に短縮させることができることになる。
【００２１】
なお、吊り治具２７は、強度を有し軽量化されたものであれば図示以外の構成のものでもよく、又、吊り耳金物２２を２個所に設けて２点吊り構造の場合を示したが、吊り耳金物２２を等間隔で３個所に設けて吊り治具２７を三角形状として３点吊り構造としてもよく、その他本発明の要旨を逸脱しない範囲内で種々変更を加え得ることは勿論である。
【００２２】
【発明の効果】
以上述べた如く、本発明の原子炉圧力容器の搬出装置によれば、原子炉圧力容器の上端部の少なくとも２個所に複数本のスタッドボルトを直立させて固定し、該スタッドボルトに通して原子炉圧力容器に被着させるようにした上蓋の上側に、上記スタッドボルトを上下方向に挿通させるための孔をスタッドボルトの本数に合わせて有する支持板と、上端側にピン挿入用の孔を有して下端面を上記支持板の上面に固定した２枚の耳板とからなる吊り耳金物を、該吊り耳金物の上記支持板の孔に上記スタッドボルトを通して該スタッドボルトの上端部にナットを螺合させることにより取り付け、且つ該吊り耳金物に連結して原子炉圧力容器を吊り上げるようにする吊り治具を、強度を有する金属製板で軽重量に作り、該吊り治具を上記吊り耳金物に連結して原子炉圧力容器を上蓋と一緒に吊り上げて原子炉遮蔽壁と一体に搬出させるようにした構成としてあるので、原子炉圧力容器と上蓋を別々にして搬出する場合に比して搬出のための作業時間を短縮することができると共に、原子炉遮蔽壁を取り外して原子炉圧力容器と一体として搬出することから、被爆低減のために別途遮蔽壁を原子炉圧力容器の外周に取り付けてから搬出する必要性をなくすことができて、工期の短縮化を図ることができ、又、原子炉遮蔽壁を取り外して一緒に搬出させることから、被爆低減を図ることができ、この際、吊り耳金物が、原子炉圧力容器に植立された複数本のスタッドボルトに取り付けてあることから、原子炉圧力容器と原子炉遮蔽壁を一体で吊るときの大重量（１２００トン強）に耐えられるという優れた効果を有する。更に、吊り治具は前後方向に重なるように配置した２枚の金属製板を一体化させて上部中央部にクレーンのフックを掛けるフック掛止部を固定して吊り天秤を形成し、該吊り天秤の両端部に、下端部を吊り耳金物に連結する吊りアームの上端部を、ピンにて回動自在に取り付けてなる構成としてあるため、原子炉圧力容器と原子炉遮蔽壁を一体として吊るときの重量に上乗せされる吊り治具の軽量化により総重量の低下を図ることができる、という優れた効果を奏し得る。
【図面の簡単な説明】
【図１】  本発明の原子炉圧力容器の搬出装置の実施の一形態を示すもので、（イ）は原子炉圧力容器の吊り上げ前の状態を示す部分切断側面図、（ロ）は吊り上げた状態を示す概略図、（ハ）は（ロ）のＡ矢視図、（ニ）は（ロ）のＢ矢視図である。
【図２】  原子炉圧力容器の上端面に取り付けた吊り耳金物を示すもので、（イ）は平面図、（ロ）は側面図である。
【図３】  原子炉遮蔽壁を展開して示す図である。
【図４】  原子炉圧力容器の概略を示す切断側面図である。
【図５】  従来の原子炉圧力容器の搬出要領を示す図である。
【符号の説明】
１  原子炉圧力容器
５  上蓋
７  原子炉遮蔽壁
２１  スタッドボルト
２２  吊り耳金物
２３  支持板
２４  耳板
２５  ピン挿入用の孔
２６  ナット
２７  吊り治具
２８  金属製板
３５  吊り天秤
３６  吊りアーム
【図１】
0004253888.tif 000002
【図２】
0004253888.tif 000003
【図３】
0004253888.tif 000004
【図４】
0004253888.tif 000005
【図５】
0004253888.tif 000006